(57)【要約】      （修正有）【課題】許容量以上に多量の発汗が発生した場合においも、冷却効果を十分に発揮できるスポーツ用手袋を提供する。【解決手段】水分を吸収して保持する第１の部材２０を有し、第１の部材は、手の甲側領域において中手指節関節を覆う部分よりも手首側に配置され、第１の部材と接して配置され、第１の部材から水分を供給される第２の部材１０を有し、第１の部材は第２の部材よりも水分を保持する能力が高く、第２の部材は第１の部材よりも前記水分を蒸発する能力が高く、第２の部材は、使用者が装着した際に直接手の甲に触れる位置に配置され、第１の部材は、前記第２の部材の外側に積層され、第２の部材は、第１の部材の内側から、甲側領域において中指、薬指、及び小指を覆う部分に延在している、スポーツ用手袋。【選択図】図１
2019014995.tif 000002
【特許請求の範囲】
【請求項１】
水分を吸収して保持する第１の部材を有し、
前記第１の部材は、手の甲側領域において中手指節関節を覆う部分よりも手首側に配置されるスポーツ用手袋。
【請求項２】
前記第１の部材と接して配置され、前記第１の部材から前記水分を供給される第２の部材を有し、
前記第１の部材は前記第２の部材よりも前記水分を保持する能力が高く、
前記第２の部材は前記第１の部材よりも前記水分を蒸発する能力が高い請求項１に記載のスポーツ用手袋。
【請求項３】
前記第２の部材は、使用者が装着した際に直接手の甲に触れる位置に配置されている請求項２に記載のスポーツ用手袋。
【請求項４】
前記第１の部材は、前記第２の部材の外側に積層されている請求項３に記載のスポーツ用手袋。
【請求項５】
前記第２の部材は、前記第１の部材の内側から、甲側領域において中指、薬指、及び小指を覆う部分に延在している請求項４に記載のスポーツ用手袋。
【請求項６】
前記第１の部材の平面形状は、略扇状である請求項２乃至５の何れか一項に記載のスポーツ用手袋。
【請求項７】
皮革から形成され、掌を被覆する掌被覆部と、
皮革から構成され、人差し指を被覆する人差指袋と、
皮革から構成され、前記第１の部材を前記第２の部材の外側に保持する第３の部材と、を有し、
前記第３の部材は、手の甲側領域において中手指節関節を覆う部分よりも手首側に配置され、
前記第３の部材は、前記掌被覆部と前記人差指袋から手首側に延在する部分とを接続する部分を備えている請求項２乃至６の何れか一項に記載のスポーツ用手袋。
【請求項８】
親指を覆う第４の部材と、
前記第４の部材と前記第１の部材とを離間させる第５の部材と、を有する請求項２乃至７の何れか一項に記載のスポーツ用手袋。
【発明の詳細な説明】
【技術分野】
【０００１】
本発明は、スポーツ用手袋に関する。
【背景技術】
【０００２】
ゴルフ、野球、テニス等のスポーツをする際にスポーツ用手袋を装着する場合がある。スポーツ用手袋は、例えば、合成皮革、天然皮革、人工皮革等の皮革により形成されている。
【０００３】
このようなスポーツ用手袋を夏期の高温多湿の環境で装着する場合、多量の発汗により、装着の不快感を増大させる場合があった。
【０００４】
また、従来、様々なスポーツ用手袋が提案されている。一例として、手袋本体の手の甲部に係着部材を介して吸水布片を取り付けたゴルフ用手袋を挙げることができる。他の例として、手の甲部をポリエステル繊維と綿織物との２層構造にし、鹿の子織としたゴルフ用手袋を挙げることができる。
【０００５】
しかしながら、従来のスポーツ用手袋では、例えば、許容量以上に多量の発汗が発生した場合等、冷却効果を十分に発揮できない場合があった。
【先行技術文献】
【特許文献】
【０００６】
【特許文献１】実開平４−７７９７４号
【特許文献２】特許第３７１２３２３号
【発明の概要】
【発明が解決しようとする課題】
【０００７】
本発明は、スポーツ用手袋の冷却効果を高めることを目的とする。
【課題を解決するための手段】
【０００８】
本スポーツ用手袋は、水分を吸収して保持する第１の部材を有し、前記第１の部材は、手の甲側領域において中手指節関節を覆う部分よりも手首側に配置されることを要件とする。
【発明の効果】
【０００９】
開示の技術によれば、スポーツ用手袋の冷却効果を高めることができる。
【図面の簡単な説明】
【００１０】
【図１】本実施の形態に係るゴルフ用手袋において甲側を構成する主要な部材を例示する図（その１）である。
【図２】本実施の形態に係るゴルフ用手袋において甲側を構成する主要な部材を例示する図（その２）である。
【図３】本実施の形態に係るゴルフ用手袋において掌側を構成する主要な部材を例示する図である。
【図４】本実施の形態に係るゴルフ用手袋において他の部材を例示する図である。
【図５】本実施の形態に係る縫製後のゴルフ用手袋を例示する図（その１）である。
【図６】本実施の形態に係る縫製後のゴルフ用手袋を例示する図（その２）である。
【発明を実施するための形態】
【００１１】
以下、図面を参照して、実施の形態の説明を行う。なお、各図面において、同一構成部分には同一符号を付し、重複した説明を省略する場合がある。
【００１２】
なお、以下の実施の形態では、本発明に係るスポーツ用手袋をゴルフ用手袋に適用する例を示すが、これには限定されず、本発明に係るスポーツ用手袋は、ゴルフ、野球、テニスを含む種々のスポーツに用いる手袋に適用することが可能である。
【００１３】
図１は、本実施の形態に係るゴルフ用手袋において甲側を構成する主要な部材を例示する図（その１）であり、図１（ａ）は縫製前の蒸発性部材１０を示す展開図、図１（ｂ）は縫製前の保水性部材２０を示す展開図、図１（ｃ）は縫製前の保持部材３０を示す展開図、図１（ｄ）は縫製前のストレッチ部材６０を示す展開図である。
【００１４】
図２は、本実施の形態に係るゴルフ用手袋において甲側を構成する主要な部材を例示する図（その２）であり、蒸発性部材１０上に保水性部材２０を保持するように保持部材３０が縫製され、保持部材３０にストレッチ部材６０が縫製された状態を示す平面図である。なお、矢印Ｙ１−Ｙ２は長手方向（指が伸びている方向）を、矢印Ｘ１−Ｘ２は短手方向（長手方向と垂直な方向）を示している。また、便宜上、ストレッチ部材６０を梨地模様で示している。後述のストレッチ部材６１〜６４についても同様である。
【００１５】
図１（ａ）に示す蒸発性部材１０は、使用者がゴルフ用手袋１（後述の図５及び６参照）を装着した際に、直接手の甲に触れる位置に配置される。具体的には、蒸発性部材１０は、使用者がゴルフ用手袋１を装着した際に主に中手指節関節を被覆する第１領域１１と、第１領域１１よりも指先側（Ｙ２側）に位置する第２領域１２と、第１領域１１よりも手首側（Ｙ１側）に位置する第３領域１３とを有している。
【００１６】
また、第２領域１２は、主に小指の甲側を被覆する甲側小指被覆部１２１と、主に薬指の甲側を被覆する甲側薬指被覆部１２２と、主に中指の甲側を被覆する甲側中指被覆部１２３とを有している。また、第３領域１３のＸ１側には、縫製後に主にストレッチ部材６０が配置される切り欠き部１３１が設けられている。また、第３領域１３は、甲側中指被覆部１２３のＸ２側の縁辺をＹ１−Ｙ２方向に伸ばした仮想線ＳよりもＸ２方向に突起する突起部１３２を有している。突起部１３２のＸ２側の縁辺は湾曲している。
【００１７】
蒸発性部材１０は、保水性部材２０及び保持部材３０よりも水分を蒸発する能力が高い材料から形成されている。蒸発性部材１０の材料としては、例えば、化学繊維を用いることができる。具体的には、蒸発性部材１０は、例えば、クールコア（登録商標）を用いて形成することができる。
【００１８】
蒸発性部材１０のＹ１−Ｙ２方向の最長部の長さＬ１は、例えば、２００ｍｍ以上２３０ｍｍ以下である。蒸発性部材１０のＸ１−Ｘ２方向の最長部の長さＬ２は、例えば、６０ｍｍ以上１１０ｍｍ以下である。
【００１９】
なお、蒸発性部材１０は、本発明に係る第２の部材の代表的な一例である。
【００２０】
図１（ｂ）に示す保水性部材２０は、水分を吸収して保持する機能を有しており、蒸発性部材１０よりも水分を保持する能力が高い材料から形成されている。保水性部材２０は、蒸発性部材１０に水分を供給することができる。保水性部材２０としては、例えば、架橋アクリル酸ナトリウム系繊維等の繊維を用いることができる。保水性部材２０は、例えば、ベルオアシス（登録商標）を用いて形成することができる。保水性部材２０は、例えば、ランシール（登録商標）を用いて形成してもよい。
【００２１】
保水性部材２０は、平面形状が略扇状の部材である。保水性部材２０の平面形状を略扇状とすることで、保水性部材２０を手の甲側に配置する際に、比較的大きな面積を確保することができる。その結果、保水性部材２０に、より多くの水分を吸収して保持することができる。
【００２２】
ここで、平面形状とは、使用者がゴルフ用手袋１を装着して各指を伸ばしたときに、手の甲または掌に大よそ垂直な方向から視た対象物の形状とする。また、略扇状とは、一端同士が交わって中心角を形成する２本の直線と、この２本の直線の他端同士を接続する１本の円弧で囲まれた扇形を含むが、中心角側の一部が除去された略逆台形状の図形も含むものとする。また、２本の直線の一方または双方が曲線状であってもよく、１本の円弧は完全な円弧でなくてもよく、１本の円弧が直線に置換されてもよい。
【００２３】
なお、保水性部材２０の形状は好ましくは略扇形であるが、これには限定されず、例えば、円形や楕円形、三角形、四角形、その他多角形などの形状とすることができる。
【００２４】
保水性部材２０のＹ１−Ｙ２方向の最長部の長さＬ３は、例えば、５０ｍｍ以上７５ｍｍ以下である。保水性部材２０のＸ１−Ｘ２方向の最長部の長さＬ４は、例えば、４０ｍｍ以上１００ｍｍ以下である。
【００２５】
なお、保水性部材２０は、本発明に係る第１の部材の代表的な一例である。
【００２６】
図１（ｃ）に示す保持部材３０は、保水性部材２０を蒸発性部材１０の外側に保持する部材である。保持部材３０は、平面形状が保水性部材２０よりも一回り大きく形成されている。ここで、使用者がゴルフ用手袋１を装着した際に手の甲または掌側に配置される部分を内側、その反対側を外側という。
【００２７】
保持部材３０は、保水性部材２０を被覆する被覆部３０１と、被覆部３０１の上端側からＸ１側に突起する突起部３０２とを有している。また、被覆部３０１と突起部３０２との間には、部分的にスリット３０３が設けられている。保持部材３０は、例えば、人工皮革、天然皮革、合成皮革、または化学繊維により製造された生地で形成することができる。
【００２８】
なお、保持部材３０は、本発明に係る第３の部材の代表的な一例である。
【００２９】
図１（ｄ）に示すストレッチ部材６０は、保水性部材２０及び保持部材３０並びに後述の第１皮革部４１及び第２皮革部４２よりも伸縮性に優れた素材（例えば、スパンデックス）により形成されている。後述のストレッチ部材６１〜６４についても同様である。
【００３０】
図２に示すように、蒸発性部材１０上に保水性部材２０が配置され、更に保水性部材２０全体を覆うように保持部材３０が配置され、蒸発性部材１０と保持部材３０とが縫製される。また、保持部材３０の突起部３０２のＹ１側に、ストレッチ部材６０が縫製される。ストレッチ部材６０と保持部材３０の被覆部３０１との間には、スリット３０３を頂部とし手首側に開口する略Ｖ字型の切り欠き部３０４が形成される。
【００３１】
図２において、保水性部材２０は、蒸発性部材１０の第３領域１３の一部において、蒸発性部材１０の外側に接して配置され（蒸発性部材１０の外側に直接積層され）、保持部材３０の被覆部３０１に直接被覆されている。
【００３２】
保持部材３０は、スリット３０３のＹ２側において、蒸発性部材１０の第３領域１３の一部を、Ｘ１方向の一端１３ａからＸ２方向の他端１３ｂまで連続的に被覆している（図２のＡ部）。保持部材３０が、蒸発性部材１０をＸ１方向の一端１３ａからＸ２方向の他端１３ｂまで連続的に被覆する部分を備えることで、伸縮性が高い蒸発性部材１０がＸ１−Ｘ２方向に必要以上に伸縮することを防止できる。
【００３３】
このように、保水性部材２０及び保持部材３０は、手の甲側領域において中手指節関節を覆う部分よりも手首側に配置される。これにより、中手指節関節を覆う部分は、保水性部材２０や保持部材３０が存在せず、使用者が指を曲げる際の妨げになることがない。
【００３４】
また、蒸発性部材１０は、保水性部材２０の内側（保水性部材２０の下層側）から、甲側領域において中指、薬指、及び小指を覆う部分（甲側小指被覆部１２１、甲側薬指被覆部１２２、及び甲側中指被覆部１２３）に延在している。これにより、蒸発性部材１０の表面積を保水性部材２０の表面積よりも大きくできるため、保水性部材２０から蒸発性部材１０に供給された水分を、蒸発性部材１０から効率よく蒸発させることができる。
【００３５】
図３は、本実施の形態に係るゴルフ用手袋において掌側を構成する主要な部材を例示する図であり、図３（ａ）は縫製前の第１皮革部４１の展開図、図３（ｂ）は縫製前の第２皮革部４２の展開図である。
【００３６】
図３（ａ）に示す第１皮革部４１は、主に小指の掌側を被覆する掌側小指被覆部４１１と、主に薬指の掌側を被覆する掌側薬指被覆部４１２と、主に中指の掌側を被覆する掌側中指被覆部４１３と、縫製後に主に人差し指の全体を被覆する人差指袋４１４と、主に掌を被覆する掌被覆部４１５とを有している。
【００３７】
また、掌被覆部４１５には、中央部よりもＸ２、Ｙ１側に貫通孔４１６が設けられている。また、掌被覆部４１５には、人差指袋４１４のＹ１側に切り欠き部４１７が設けられている。また、掌側小指被覆部４１１、掌側薬指被覆部４１２、掌側中指被覆部４１３、及び人差指袋４１４には、複数の通気孔４１８を設けてもよい。
【００３８】
図３（ｂ）に示す第２皮革部４２は、縫製後に主に親指の全体を被覆する親指袋４２１を有している。親指袋４２１には、下端側からＸ１側に突起する突起部４２２が設けられている。親指袋４２１には、複数の通気孔４２３を設けてもよい。
【００３９】
第１皮革部４１及び第２皮革部４２は、例えば、人工皮革、天然皮革、または合成皮革により形成することができる。第１皮革部４１及び第２皮革部４２は、好ましくは人工皮革であり、具体的にはソフリナ（登録商標）を用いて形成することができる。また、第１皮革部４１と第２皮革部４２とを異なる皮革で形成してもよい。なお、第１皮革部４１及び第２皮革部４２よりも、蒸発性部材１０の方が伸縮性が高い。
【００４０】
図４は、本実施の形態に係るゴルフ用手袋において他の部材を例示する図であり、図４（ａ）は縫製前の開閉部材の展開図、図４（ｂ）〜図４（ｅ）は縫製前のストレッチ部材の展開図である。
【００４１】
図４（ａ）に示す開閉部材５０は、固定部５１と、開閉部５２とを有している。開閉部５２は、使用者が着脱する際に開閉する部材であり、固定部５１と係合可能に構成されている。固定部５１には、複数の通気孔５１１を設けてもよい。
【００４２】
図４（ｂ）に示すストレッチ部材６１は、第１皮革部４１と第２皮革部４２とを縫製する際に、貫通孔４１６のＸ２側と親指袋４２１のＸ２側の下方との間に介在する部材である。
【００４３】
図４（ｃ）に示すストレッチ部材６２は、蒸発性部材１０と第１皮革部４１とを縫製する際に、甲側小指被覆部１２１のＸ２側と掌側小指被覆部４１１のＸ２側との間、及び甲側薬指被覆部１２２のＸ１側と掌側薬指被覆部４１２のＸ１側との間に連続的に介在する部材である。
【００４４】
図４（ｄ）に示すストレッチ部材６３は、蒸発性部材１０と第１皮革部４１とを縫製する際に、甲側薬指被覆部１２２のＸ２側と掌側薬指被覆部４１２のＸ２側との間、及び甲側中指被覆部１２３のＸ１側と掌側中指被覆部４１３のＸ１側との間に連続的に介在する部材である。
【００４５】
図４（ｅ）に示すストレッチ部材６４は、蒸発性部材１０と第１皮革部４１とを縫製する際に、甲側中指被覆部１２３のＸ２側と掌側中指被覆部４１３のＸ２側との間に介在する部材であり、人差指袋４１４のＸ１側の付け根部分の一部に延在する。
【００４６】
図５は、本実施の形態に係る縫製後のゴルフ用手袋を例示する図（その１）であり、図５（ａ）は甲側から視た図を示し、図５（ｂ）は掌側から視た図を示している。図６は、本実施の形態に係る縫製後のゴルフ用手袋を例示する図（その２）であり、図６（ａ）は甲側から視た図を示し、図６（ｂ）は図６（ａ）のＢ−Ｂ線に沿う断面を示している。但し、図５（ａ）では開閉部材５０が閉状態であり、図６では開閉部材５０が開状態である。
【００４７】
図５及び図６に示すように、ゴルフ用手袋１において、第１皮革部４１と第２皮革部４２とは、直接またはストレッチ部材６１〜６４を介して縫製されている。
【００４８】
親指袋４２１の付け根からＹ１方向に延在する部分とストレッチ部材６１は、保水性部材２０と親指袋４２１とを離間させている。これにより、仮に保水性部材２０から水分が漏れたとしても、漏れた水分が親指袋４２１に移行し難くなる。
【００４９】
なお、親指袋４２１は、本発明に係る第４の部材の代表的な一例である。また、親指袋４２１の付け根からＹ１方向に延在する部分とストレッチ部材６１は、本発明に係る第５の部材の代表的な一例である。
【００５０】
また、保持部材３０は、蒸発性部材１０の第３領域１３において、Ｘ１方向の一端１３ａ（掌被覆部４１５）とＸ２方向の他端１３ｂ（人差指袋４１４から手首側に延在する部分）とを接続する部分を備えている（図５（ａ）のＡ部）。すなわち、この部分では、第１皮革部４１と第２皮革部４２とを、蒸発性部材１０よりも伸縮性の低い保持部材３０が直接接続している。これにより、伸縮性が高い蒸発性部材１０がＸ１−Ｘ２方向に必要以上に伸縮することを防止できる。
【００５１】
ゴルフ用手袋１において、開閉部材５０の固定部５１は、保持部材３０の外側に積層されている。つまり、図６（ｂ）に示すように、固定部５１が配置されている部分では、蒸発性部材１０、保水性部材２０、保持部材３０、及び固定部５１が内側から順次積層された４層構造となっている。但し、保水性部材２０と固定部５１とは、平面視で重複しない領域を有してもよい。
【００５２】
開閉部材５０において、切り欠き部３０４を挟んで一方の側（Ｘ２側）に固定部５１が配置され、他方の側（Ｘ１側）に開閉部５２が配置されている。固定部５１は、例えば、面ファスナーの雄側とすることができる。又、開閉部５２の固定部５１と係合する部分には、例えば、面ファスナーの雌側５２１を配置することができる。これにより、開閉部５２を開閉することで、使用者がゴルフ用手袋１を自身の手に容易に着脱することができる。
【００５３】
図５（ａ）に示すように、ゴルフ用手袋１において、甲側小指被覆部１２１のＹ１側、甲側薬指被覆部１２２のＹ１側、及び甲側中指被覆部１２３のＹ１側に、第３皮革部４３を積層してもよい。第３皮革部４３は、例えば、人工皮革、天然皮革、または合成皮革により形成することができる。第３皮革部４３は、第１皮革部４１及び第２皮革部４２と異なる皮革で形成してもよい。
【００５４】
このように、第３皮革部４３を設けて蒸発性部材１０の伸縮性を部分的に抑制することで、使用者がゴルフ用手袋１を装着してゴルフクラブをグリップする際のホールド感を向上（グリップの緩みを防止）することができる。
【００５５】
ゴルフ用手袋１では、使用者が装着した際に直接手の甲に触れる位置に蒸発性部材１０を配置し、更に蒸発性部材１０上の所定位置に保水性部材２０を配置している。これにより、以下のように冷却効果を高めることができる。
【００５６】
すなわち、使用前に保水性部材２０に適度に水を浸み込ませることにより、保水性部材２０から蒸発性部材１０に水が移行し、蒸発性部材１０に接する手の甲の部分が冷やされる。更に、蒸発性部材１０に移行した水分が蒸発することで生じる気化熱により、手の甲の部分を冷却することができる。
【００５７】
また、保水性部材２０が乾燥した状態で使用した場合でも、発生した汗が蒸発性部材１０を伝い蒸発するため、手の甲の部分を冷却することができる。更に、多量の汗が発生した場合には、発生した汗のうち蒸発しない分が保水性部材２０に移行するため、蒸発性部材１０での汗の蒸発を妨げず、適度な冷却を行うことができる。また、発汗量が落ち着いた後は、保水性部材２０に含まれた汗が蒸発性部材１０に移行するため、継続的に気化熱を発生させ、冷却効果を持続することができる。
【００５８】
なお、水分は、主に蒸発性部材１０から蒸発するが、水分の一部が保水性部材２０や保持部材３０から直接蒸発してもよい。
【００５９】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００６０】
１  ゴルフ用手袋
１０  蒸発性部材
１１  第１領域
１２  第２領域
１３  第３領域
２０  保水性部材
３０  保持部材
４１  第１皮革部
４２  第２皮革部
４３  第３皮革部
５０  開閉部材
５１  固定部
５２  開閉部
６０、６１、６２、６３、６４  ストレッチ部材
１２１  甲側小指被覆部
１２２  甲側薬指被覆部
１２３  甲側中指被覆部
１３１、３０４、４１７  切り欠き部
１３２、３０２、４２２  突起部
３０１  被覆部
３０３  スリット
４１１  掌側小指被覆部
４１２  掌側薬指被覆部
４１３  掌側中指被覆部
４１４  人差指袋
４１５  掌被覆部
４１６  貫通孔
４１８、４２３、５１１  通気孔
４２１  親指袋
５２１  面ファスナーの雌側
【図１】
2019014995.tif 000003
【図２】
2019014995.tif 000004
【図３】
2019014995.tif 000005
【図４】
2019014995.tif 000006
【図５】
2019014995.tif 000007
【図６】
2019014995.tif 000008